(57)【要約】【課題】  刈り草を集草容器に多量に回収することができながら、重心高さや機体長さの面で有利に得られ、かつ、刈り草の排出が行いやすい乗用型草刈機を提供する。【解決手段】  集草容器３０に、左右一対のサイド容器部３０ａ、両サイド容器部３０ａの上部に連通したセンター容器部３０ｂ、センター容器部３０ｂの下方で、かつ、両サイド容器３０ａの間を集草容器前後方向に通って集草容器３０の前方向き及び後方向きに開口した凹部３２を備えてある。集草容器３０が回収状態にあると、センター容器部３０ｂが原動部３の上方に位置し、各サイド容器部３０ａが原動部３の横側方に位置する。集草容器３０は、集草容器下端側に位置する横向き軸芯４３ａ，１０２ａまわりで車体後方側に回動されて草排出状態になる。【選択図】        図１
2006094851.tif 000002
【特許請求の範囲】
【請求項１】
エンジンが装備された原動部、及び、モーアからの刈り草を回収する集草容器を車体後部に設け、前記集草容器よりも車体前方側に位置した運転座席を備えた乗用型草刈機であって、
集草容器を、左右一対のサイド容器部、及び、前記左右一対のサイド容器部の上部に連通したセンター容器部を備えて構成するとともに、前記集草容器に、前記センター容器部の下方で、かつ、前記左右一対のサイド容器の間を集草容器前後方向に通って集草容器の前方向き及び後方向きに開口した凹部を設け、
前記集草容器は、センター容器部が原動部の上方に位置し、前記左右一対のサイド容器部が前記原動部の両横側方に分かれて位置した回収状態と、集草容器下端側に位置する横向きの軸芯まわりで車体後方側に回動した草排出状態とに切り換え操作自在に支持されている乗用型草刈機。
【請求項２】
前記集草容器の前記回収状態において、前記サイド容器部が後車輪の上方に位置している請求項１記載の乗用型草刈機。
【請求項３】
前記集草容器は、相対開閉自在に連結された底側容器と蓋側容器とで成り、
前記集草容器の前記草排出状態において、前記底側容器と前記蓋側容器が車体下方向きに開口した状態で相対開放されるように構成してある請求項１又は２記載の乗用型草刈機。
【請求項４】
前記底側容器及び前記蓋側容器に側壁を備えてある請求項１〜３のいずれか１項に記載の乗用型草刈機。
【請求項５】
前記集草容器を、前記回収状態での配置高さよりも高い配置高さに持ち上げて前記草排出状態に操作されるように構成してある請求項１〜４のいずれか１項に記載の乗用型草刈機。
【発明の詳細な説明】
【技術分野】
【０００１】
本発明は、エンジンが装備された原動部、及び、モーアからの刈り草を回収する集草容器を車体後部に設け、前記集草容器よりも車体前方側に位置した運転座席を備えた乗用型草刈機に関する。
【背景技術】
【０００２】
上記乗用型草刈り機として、従来、たとえば特許文献１に示されるように、集草容器８をエンジンボンネット５の上方に設けたものがあった。また、特許文献２に示されるように、車体フレーム１の後端に刈芝収容部８（集草容器に相当）を設けたものがあった。
【０００３】
【特許文献１】特開２００２−１０１７２５号公報（〔０００９〕段、図１
【０００４】
【特許文献２】実用新案登録第２５６８２５７号公報（〔００１２〕段、図１）
【発明の開示】
【発明が解決しようとする課題】
【０００５】
特許文献１に示される技術によって集草容器を装備した場合、集草容器の収容量を大にすると、集草容器の高さが高くなって運転部からの後方視界が悪くなりやすくなっていた。また、集草容器や回収された刈り草の重量のために草刈り機全体の重心高さが高くなりやすくなっていた。
特許文献２に示される技術によって集草容器を装備した場合、集草容器の収容量を大にすると、集草容器が車体フレームから後方に長く突出して、草刈り機全体の前後長さが長くなりやすくなっていた。
【０００６】
本発明の目的は、上記した後方視界や重心高さ、前後長さの悪化を抑制しながら集草容器の収容量を大にすることができ、しかも、集草容器に回収された刈り草の排出が行い易い乗用型草刈り機を提供することにある。
【課題を解決するための手段】
【０００７】
本第１発明にあっては、エンジンが装備された原動部、及び、モーアからの刈り草を回収する集草容器を車体後部に設け、前記集草容器よりも車体前方側に位置した運転座席を備えた乗用型草刈機において、
集草容器を、左右一対のサイド容器部、及び、前記左右一対のサイド容器部の上部に連通したセンター容器部を備えて構成するとともに、前記集草容器に、前記センター容器部の下方で、かつ、前記左右一対のサイド容器の間を集草容器前後方向に通って集草容器の前方向き及び後方向きに開口した凹部を設け、
前記集草容器は、センター容器部が原動部の上方に位置し、前記左右一対のサイド容器部が前記原動部の両横側方に分かれて位置した回収状態と、集草容器下端側に位置する横向きの軸芯まわりで車体後方側に回動した草排出状態とに切り換え操作自在に支持されている。
【０００８】
すなわち、集草容器が回収状態にセットされた状態において、集草容器のセンター容器部が原動部の上方に位置し、集草容器の左右一対のサイド容器部が原動部の両横側方に分かれて位置するものだから、集草容器の前端側が車体後端よりも車体前方側に入り込み、集草容器下端の地上高さが原動部上端の地上高さよりも低くなった状態になる。これにより、集草容器の収容量を大にするに伴って集草容器の車体前後方向や車体上下方向での長さが増大することになっても、集草容器が車体後端から後方に突出する長さが極力小になるようにしながら、かつ、集草容器の配置高さが極力低くなるようにしながら集草容器の収容量を増大することができる。
【０００９】
集草容器が集草容器下端側に位置する横向きの軸芯まわりで車体後方側に回動されると、集草容器は草排出状態に切り換わり、集草容器に貯留された刈り草が排出される。このとき、集草容器の前記凹部が原動部から離れて運転部から凹部を介して車体後方を見やすくなり、集草容器から排出される刈り草の落下や堆積状況などを見やすくなる。
【００１０】
従って、本第１発明によれば、集草容器の収容量を大にし、回収刈り草の排出のために作業を中断する回数を少なく済ませて能率よく作業することができるようにしても、集草容器の車体後方側への突出長さや配置高さが小になり、草刈り機全体の前後長さや重心高さが小になるとともに後方視界が良くなって操縦しやすくなる。
【００１１】
集草容器を回動させるだけで集草容器が草排出状態になるとともに運転部からでも凹部を介して刈り草の落下や堆積状況などを確認しやすく、運転座席に着座するなど運転部に居たままであっても、刈り草を所望どおりに容易に排出することができる。
【００１２】
本第２発明にあっては、本第１発明の構成において、前記集草容器の前記回収状態において、前記サイド容器部が後車輪の上方に位置している。
【００１３】
すなわち、サイド容器部が後車輪の上方に位置しているものだから、集草容器の収容量が増大することによって集草容器、及び、貯留される刈り草の重量が増大することになっても、その重量のために草刈機全体の前後重量バランスが悪化することを回避したり抑制したりしながら集草容器の収容量を増大することができる。
【００１４】
従って、本第２発明によれば、集草容器の収容量を大にして多量の刈り草を貯留することができるものにしても、草刈機全体としては前後の重量バランスが良いものになって運転が行いやすいものになる。
【００１５】
本第３発明にあっては、本第１又は第２発明の構成において、前記集草容器は、相対開閉自在に連結された底側容器と蓋側容器とで成り、
前記集草容器の前記草排出状態において、前記底側容器と前記蓋側容器が車体下方向きに開口した状態で相対開放されるように構成してある。
【００１６】
すなわち、集草容器の収容量を大にして多量の刈り草が貯留されることになっても、集草容器から刈り草が排出される際、底側容器と蓋側容器が車体下方向きに開口した状態に相対開放し、集草容器内の刈り草が車体下方向き開口から迅速に落下するようにして刈り草排出を行わせることができる。
【００１７】
従って、本第３発明によれば、集草容器の収容量を大にして多量の刈り草を貯留することができるものにしても、貯留された刈り草の排出を迅速に行って刈り草排出のための作業中断時間を短縮し、能率よく作業を行うことができるようになる。
【００１８】
本第４発明にあっては、本第１〜第３発明のいずれか一つにおいて、前記底側容器及び前記蓋側容器に側壁を備えてある。
【００１９】
すなわち、底側容器と蓋側容器が相対開放して刈り草が排出される際、排出される刈り草が底側容器及び蓋側容器の側壁に沿いながら排出され、刈り草が集草容器から出た際に広範囲に飛散する事態が発生しにくくなる。
【００２０】
従って、本第４発明によると、底側容器と蓋側容器が相対開放して刈り草を迅速に排出することができるものでありながら、刈り草を排出目標箇所に極力集まるようにして排出して後の処理が行いやすくなる。
【００２１】
本第５発明にあっては、本第１〜第４発明のいずれか一つの構成において、前記集草容器を、前記回収状態での配置高さよりも高い配置高さに持ち上げて前記草排出状態に操作されるように構成してある。
【００２２】
すなわち、集草容器を回収状態での配置高さよりも高い配置高さまで持ち上げ、この持ち上げた高さで草排出状態に切り換えて刈り草を排出することができる。
【００２３】
従って、本第５発明によると、刈り草を集草容器から運搬車荷台に直接に排出して作業箇所から移送先に能率よく搬送することができるなど、刈り草を集草容器から高所の排出に直接に排出して能率よく処理することができる。
【発明を実施するための最良の形態】
【００２４】
以下、本発明の実施例を図面に基づいて説明する。
〔第１実施例〕
図１，２，３に示すように、左右一対のキャスター形の前車輪１、左右一対の駆動自在な後車輪２、車体後部に設けたエンジン３ａが装備された原動部３、この原動部３の前側近くに位置する運転座席４が装備された搭乗型の運転部、運転座席４の後側近くに位置する転倒保護枠５を備えた自走車体の車体フレーム６の前後輪間に、リンク機構７を介してモーア２０を連結するとともに、エンジン３ａの駆動力をミッションケース８及び回転軸９を介してモーア２０に伝達するように構成し、前記自走車体の後部に集草容器３０を設けるとともに、モーア２０の刈り刃ハウジング２１の横一端部に設けたブロワ２２の吐出筒２２ａを、自走車体の横外側を通る樹脂製の可撓管で成る搬送ダクト１０によって集草容器３０の横一端側の上部に位置する刈り草投入口３１に連通させて、乗用型草刈機を構成してある。
【００２５】
すなわち、リンク機構７の後部リンク７ａに連動しているリフトシリンダ１１を伸縮作動させると、このリフトシリンダ１１がリンク機構７を車体フレーム６に対して揺動昇降操作し、モーア２０を接地ゲージ輪２３が接地した下降作業状態と、接地ゲージ輪２３が地面上から上昇した上昇非作業状態とに昇降操作する。モーア２０を下降作業状態にして走行車体を走行させると、モーア２０は、刈り刃ハウジング２１の内部の自走車体横方向に並ぶ複数箇所で自走車体上下向きの軸芯まわりで回動駆動される回転刈り刃２４によって芝や草を切断処理する。各回転刈り刃２４によって切断された芝や草（以後、刈り草と称する。）が各回転刈り刃２４の回転によって発生する風と、ブロワ２２が発生させる搬送風とによって刈り刃ハウジング２１から搬送ダクト１０を通して集草容器３０に供給されて、この集草容器３０がモーア２０からの刈り草を回収して貯留していく。
【００２６】
図４，５に示すように、集草容器３０は、原動部嵌入凹部３２を集草容器横方向での中央部に集草容器後方向き及び下方向きに開口した状態で備えるように屈曲成形した板金で成る底側容器３３と、搬送ダクト１０から刈り草と共に入り込む搬送風が抜け出るように金属製の網材と板金製の枠体とを組み合わせて成るとともにカバー板３４を上方に、前記刈り草投入口３１を横一端側にそれぞれ備えた蓋体としての蓋側容器３５とによって構成してある。蓋側容器３５は、左右一対の横側壁３５ａと、後側壁３５ｂと、上部壁３５ｃとによって構成してある。蓋側容器３５の後側壁３５ｂの下部に、底側容器３３の前記原動部嵌入凹部３２に対向する排気口３６を設けてある。
【００２７】
つまり、底側容器３３の原動部嵌入凹部３２よりも左横側に位置する部分と、この左横側部分に対応する蓋側容器３５の横側壁部分や後側壁部分とが集草容器３０の左側のサイド容器部３０ａを構成し、底側容器３３の原動部嵌入凹部３２よりも右横側に位置する部分と、この右横側部分に対応する蓋側容器３５の横側壁部分や後側壁部分とが集草容器３０の右側のサイド容器部３０ａを構成し、底側容器３３の原動部嵌入凹部３２よりも上側に位置する部分と、この上側部分に対応する蓋側容器３５の横側壁部分や後側壁部分とが集草容器３０のセンター容器部３０ｂを構成している。センター容器部３０ｂは、前記左右一対のサイド容器部３０ａの上部に連通した状態になっている。また、集草容器３０は、左右のサイド容器部３０ａの下部どうしの間に集草容器３０を前後方向に貫通した原動部嵌入凹部３２を備えた状態になっている。
【００２８】
図５，６などに示すように、底側容器３３の上端部に位置する左右一対の連結ブラケット３７と、蓋側容器３５の上壁部３５ｃの端部に位置する左右一対の連結ブラケット３８とを相対回動自在に連結している集草容器横向きの連結軸３９により、底側容器３３と蓋側容器３５とを前記連結軸３９の軸芯まわりで相対回動するように連結してあり、蓋側容器３５は、前記連結軸３９の集草容器横向きであり、かつ、車体横向きである軸芯３９ａまわりで底側容器３３に対して上下に揺動開閉するようになっている。集草容器３０の両横側に、蓋側容器３５の横側壁３５ａと底側容器３３とにわたって蓋側容器３５を開き側に揺動付勢するように装着されて蓋側容器３５の開放操作が軽くできるようにしているガススプリング４０を設けてある。
【００２９】
図４，５，６などに示すように、底側容器３３の下端部に位置する左右一対の連結ブラケット４１と、車体フレーム６が備える左右一対の支持ブラケット４２とを相対回動自在に連結している走行車体横向きの連結軸４３により、底側容器３３の下端部を車体フレーム６に対して回動自在に連結してある。これにより、集草容器３０の下端側が車体フレーム６に対して前記連結軸４３の車体横向きの軸芯４３ａまわりで回動自在に連結している。
【００３０】
図１，５などに示すように、集草容器３０の両横側の上部に、容器側リンク４４ａと車体側リンク４４ｂが連結軸４４ｃで屈伸自在に連結されて成る屈伸リンク４４を設けてある。
【００３１】
図５などに示すように、各屈伸リンク４４における車体側リンク４４ｂの容器側リンク４４ａに連結している側とは反対側の端部は、前記転倒保護枠５の基部に固定の左右一対のブラケット５ａに架設された車体横向きの支軸４５の端部で成る車体側の支持部４６に対して回動自在に連結されており、各屈伸リンク４４における容器側リンク４４ａの車体側リンク４４ｂに連結している側とは反対側の端部は、集草容器３０の底側容器３３と蓋側容器３５を相対回動自在に連結している前記連結軸３９の端部に回動自在に連結されている。
【００３２】
これにより、各屈伸リンク４４は、集草容器３０の上端側と、車体側の前記支持部４６とを連結しており、集草容器３０の上端側が下端側の前記連結軸４３を揺動支点にして前記支持部４６に対して車体前後方向に離間したり接近したりすることを可能にするように集草容器３０を支持している。
【００３３】
図１，５などに示すように、前記連結軸３５に、左右一対のロックアーム５１を備えて成るリンクロック機構５０を設けてある。
【００３４】
図５などに示すように、前記各ロックアーム５１の基端側は、集草容器３０の底側容器３３と蓋側容器３５を相対回動自在に連結している前記連結軸３９の端部に一体回動自在に連結されており、一方のロックアーム５１から延出している操作レバー５２により両ロックアーム５１を連結軸３９の軸芯３９ａまわりで揺動操作して、図８（イ）に示す如く両ロックアーム５１の先端部をこの部位に位置する切欠き５１ａによって支軸４５に係止させることにより、リンクロック機構５０は、ロックアーム５１によって連結軸３９を支軸４５に接近した状態に引っ張り支持することによって、左右の屈伸リンク４４を屈曲状態に固定するようにロック状態なる。図８（ロ）に示す如く両ロックアーム５１の先端部を支軸４５から外すことにより、リンクロック機構５０は、両ロックアーム５１による連結軸３９の引っ張り支持を解除することによって、左右の屈伸リンク４４の屈曲固定を解除するようにロック解除状態になる。
【００３５】
図１，５などに示すように、集草容器３０の下端部の両横側に、集草容器３０の底側容器３３に設けたフック６１と、蓋側容器３５に設けたロックピン６２とを備えて成る蓋ロック機構６０を設けてある。
【００３６】
図５に示すように、各蓋ロック機構６０の前記フック６１の基端側は、底側容器３３の下端側を車体フレーム６に連結している前記連結軸４３の端部に一体回動自在に連結されており、各蓋ロック機構６０は、フック６１が連結軸４３の軸芯４３ａまわりで揺動操作されて前記ロックピン６２に係止されることにより、蓋側容器３５を底側容器３３に対して閉じ固定するようにロック状態になる。また、各蓋ロック機構６０は、フック６１がロックピン６２から外されることにより、蓋側容器３５の底側容器３３に対する閉じロックを解除するようにロック解除状態になる。
【００３７】
図１，５に示すように、リンクロック機構５０のロックアーム５１が連結している前記支軸３９の端部に一体回動自在に連結した連動アーム７１と、この連動アーム７１に一端側が連結された連動ロッド７２と、この連動ロッド７２の他端側に遊端側が連結され、基端部が前記連結軸４３に一体回動自在に連結された操作アーム６３とにより、リンクロック機構５０と一対の蓋ロック機構６０とを連動させる連動機構７０を構成してある。
【００３８】
リンクロック機構５０のロックアーム５１を支軸４５から外れるように揺動操作されると、支軸３９が回動操作されて連動アーム７１を揺動操作し、連動ロッド７２が引き操作されて操作アーム６３を揺動操作する。すると、連結軸４３の連動作用により、両フック６１が揺動操作されてロックピン６２から外れる。ロックアーム５１を支軸４５に掛かるように揺動操作されると、支軸３９が回動操作されて、連動ロッド７２が押し操作されて操作アーム６３を揺動操作する。すると、連結軸４３の連動作用により、両フック６１が揺動操作されてロックピン６２に掛かる。これにより、リンクロック機構５０がロック状態に切換え操作されると、このロック操作によって一対の蓋ロック機構６０，６０がロック状態に切換え操作され、リンクロック機構５０がロック解除状態に切換え操作されると、このロック解除操作によって一対の蓋ロック機構６０，６０がロック解除状態に切換え操作されるように、連動機構７０がリンクロック機構５０と一対の蓋ロック機構６０，６０とを連動させている。
【００３９】
つまり、草刈り作業を行なうには、操作レバー５２を車体前方側に引き操作して集草容器３０を連結軸４３の軸芯４３ａまわりで車体前方側に揺動操作するとともに一対の屈伸リンク４４，４４を屈曲側に切換え操作する。一対の屈伸リンク４４が所定の屈曲状態になると、集草容器３０の原動部嵌入凹部３２に原動部３のエンジンボンネット３ｂなどの後部側が入り込み、集草容器３０は、図１−４に示す如き回収状態にセットされた状態になる。すなわち、集草容器３０のセンター容器部３０ｂが原動部３の上方に位置し、各サイド容器部３０ａの下部が原動部３の横側方に位置し、各サイド容器部３０ａの上部側が後車輪２の上方に位置した回収状態になる。集草容器３０が回収状態になると、両ロックアーム５１を支軸４５に係止操作してリンクロック機構５０をロック状態にする。すると、一対の屈伸リンク４４が屈曲状態にロックされて集草容器３０を回収状態に固定することができ、かつ、連動機構７０の連動作用によって一対の蓋ロック機構６０が自ずとロック状態に切り換わって、蓋側容器３５を底側容器３３に対して閉じ固定することができる。
【００４０】
集草容器３０に回収された刈り草を排出するには、操作レバー５２によって両ロックアーム５１を支軸４５から外し操作してリンクロック機構５０をロック解除状態に切換え操作し、屈伸リンク４４の屈曲固定が解除されると、操作レバー５２を車体後方側に押し操作して集草容器３０を連結軸４３の軸芯４３ａまわりで車体後方側に揺動操作するとともに一対の屈伸リンク４４を伸展側に切換え操作する。一対の屈伸リンク４４が伸展状態になると、集草容器３０は、図６に示す如く回収状態よりも連結軸４３の軸芯４３ａまわりで車体後方側に倒れた刈り草排出状態になる。このとき、搬送ダクト１０は、蛇腹管で成っているため、集草容器３０から外さなくとも自ずと伸展して集草容器３０の後倒れを可能にする。さらに、リンクロック機構５０をロック解除状態に切換え操作した際、連動機構７０の連動作用によって一対の蓋ロック機構６０が自ずとロック解除状態に切り換わっていることにより、図７の如く蓋側容器３５に掛かる回収刈り草の重量のために蓋側容器３５が連結軸３９の軸芯３９ａまわりで底側容器３３に対して自ずと揺動して、底側容器３３と蓋側容器３５が車体下方向きに開口した状態に開き、集草容器３０の内部に回収されていた刈り草が底側容器３３と蓋側容器３５の間から落下する。回収刈り草が軽くて蓋側容器３５を人為操作によって開放する必要がある場合でも、ガススプリング４０によって開放操作力が付与されて楽に開放操作することができる。
【００４１】
〔第２実施例〕
図９−１１は別の実施構造を備えた乗用型草刈機を示し、この乗用型草刈機にあっては、次の如く構成してある。
すなわち、左右一対の駆動自在な前車輪１、左右一対の駆動及び操向操作自在な後車輪２、車体後部に設けたエンジン３ａが装備された原動部３、原動部３の車体前方側近くに位置する運転座席４が装備された運転部、運転座席４の後側近くに位置する転倒保護枠５を備えた自走車体の前車輪１の前方の運転部床１２の下方にモーア２０を設けるとともに、前記エンジン３ａからの駆動力が前部ミッションケース１３から回転軸１４を介してモーア２０に伝達されるように構成してある。前記自走車体の後部に、集草容器３０をこの集草容器３０よりも車体前方側に前記運転座席４が位置するように配置して設けるとともに、前記モーア２０の刈り刃ハウジング２１の横一端側に位置する排出口２５が、この排出口２５に前端側が接続された車体前後向きのダクト８０、このダクト８０の後端側に吸入側が接続されて車体フレーム６の前後輪間に支持されたブロワ８１、このブロワ８１の吐出側に下端側が接続された車体上下向きのダクト８２を介して前記集草容器３０の上端部の横一端側に位置する刈り草投入口３１に連通されるように構成してある。
【００４２】
前記モーア２０は、前記前部ミッションケース１３の両横側部から車体前方向きに上下揺動自在に延出された昇降リンク８５、前記前部ミッションケース１３の上部に上下揺動自在に支持された左右一対のリフトアーム８６などを有したリンク機構８７を介して前記前部ミッションケース１３に支持されており、前記左右一対のリフトアーム８６を前部ミッションケース１３に連結している回転支軸８６ａに連動させて前部ミッションケース１３の内部に設けた昇降シリンダ（図示せず）が操作されると、この昇降シリンダは、左右一対のリフトアーム８６を上下に揺動駆動してリンク機構８７を前部ミッションケース１３に対して上下に揺動操作することにより、モーア２０をゲージ輪２３が地面上に接地した下降作業状態と、ゲージ輪２３が地面上から上昇した上昇非作業状態とに昇降操作する。モーア２０を下降作業状態にして自走車体を走行させると、モーア２０は、刈り刃ハウジング２１の内部の自走車体横方向に並ぶ複数箇所で自走車体上下向きの軸芯まわりで回動駆動される回転刈り刃２４によって芝や草を切断処理する。各回転刈り刃２４によって切断された刈り芝や刈り草が各回転刈り刃２４の回転によって発生した風によって刈り刃ハウジング２１の内部を排出口２５に搬送され、この排出口２５からダクト８０を介してブロワ８１に吸引され、ブロワ８１からダクト８２を介して集草容器３０の刈り草投入口３１に供給され、集草容器３０は、モーア２０からの刈り草や刈り芝を回収して貯留していく。
【００４３】
図１２，１３などに示すように、前記集草容器３０は、底板３３ａを有した底側容器３３と、前記刈り草投入口３１を有した蓋側容器３５とを備えて構成してある。
【００４４】
図１３に明示するすように、底側容器３３は、底板３３ａ、前側壁３３ｂ、後側壁３３ｃ、左右一対の横側壁３３ｄを備えて構成してある。底側容器３３は、前側壁３３ｂ、後側壁３３ｃ、両横側壁３３ｄの上端縁によって形成される開口３３ｅを備えている。
【００４５】
前記底側容器３３の下面側の底側容器横幅方向での中央部に底側容器３３の前後方向での全長にわたる凹部３２を備えるように、かつ、この凹部３２は、底側容器３３の前方向きにも後方向きにも開口した凹部になるように、前記底板３３ａを屈曲板によって構成し、前側壁３３ｂ及び後側壁３３ｃの下部に前記凹部３２に対応した切り欠き形状の開口を設けてある。前記凹部３２は、凹部３２の車体左右方向での横幅が車体前方側に至るほど大になるように前広がり凹部になっている。
【００４６】
図１３に明示するように、蓋側容器３５は、上部壁３５ｃ、前側壁３５ｄ、網付き排気口３６を有した後側壁３５ｂ、前記刈り草投入口３１や網付き排気口３６を有した横側壁３５ａ、網付き排気口３６を有した横側壁３５ａを備えて構成してある。蓋側容器３５は、前側壁３５ｄ、後側壁３５ｂ、両横側壁３５ａの下端縁によって形成される開口３５ｅを備えている。
【００４７】
図１２などに示すように、底側容器３３と蓋側容器３５とは、集草容器３０の前端側に配置した集草容器横向きの開閉軸芯Ｐまわりで相対揺動して、底側容器３３の前記開口３３ｅと蓋側容器３５の前記開口３５ｅを互いに閉じ合った閉じ状態と、底側容器３３の前記開口３３ｅと蓋側容器３５の前記開口３５ｅを互いに開き合った開き状態とに相対揺動するように連結されている。
【００４８】
これにより、図１２，１４に示す如く集草容器３０は、底側容器３３の前記凹部３２の左横側に位置する部分と、この底側容器部分に対応する蓋側容器３５の左端側部分とで成る左側のサイド容器部３０ａ、底側容器３３の前記凹部３２の右横側に位置する部分と、この底側容器部分に対応する蓋側容器３５の右端側部分とで成る右側のサイド容器部３０ａ、底側容器３３の前記凹部３２の上方に位置する部分と、この底側容器部分に対応する蓋側容器部分とで成るセンター容器部３０ｂを備えている。
【００４９】
図１０，１１などに示すように、前記集草容器３０は、前記転倒保護枠５、及び、この転倒保護枠５の上部から車体後方向きに延出された左右一対のリンク機構９０などを介して車体フレーム６に支持されている。
【００５０】
図１０，１４などに示すように、前記左右のリンク機構９０は、転倒保護枠５の車体上下向きの縦枠部分から車体後方向きに上下揺動自在に延出された上下一対の昇降リンク９１、この上下一対の昇降リンク９１の延出端部に連結された容器支持枠９２を備えて構成してある。左側のリンク機構９０の容器支持枠９２と、右側のリンク機構９０の容器支持枠９２とは、単一部品の容器支持枠になっている。
【００５１】
図１２，１４などに示すように、前記容器支持枠９２は、左側の上下一対の昇降リンク９１と、右側の上下一対の昇降リンク９１とに各別に連結された左右一対のサイド枠９２ａ、左右一対のサイド枠９２ａを連結している連結枠９２ｂを備えて構成してある。
集草容器３０の底側容器３３の後端側の両横端部に固定された取り付けアーム１００、及び、前記左右の取り付けアーム１００の間に配置して底側容器３３の後端部に固定された取り付け枠１０１を集草容器３０の底側容器３３に設けてある。取り付け枠１０１は、底側容器３３の両横側から延出されたメイン取り付け１０１ｃ、左右一対のメイン連結枠１０１ｃを連結している梁枠１０１ｂを備えて構成してある。
左側のリンク機構９０の前記上下一対の昇降リンク９１のうちの下側の昇降リンク９１と、容器支持枠９２の左側のサイド枠９２ａとを相対回動自在に連結している連結軸１０２により、容器支持枠９２の左側のサイド枠９２ａと、左側の取り付けアーム１００と、取り付け枠１０１の左側のメイン取り付け枠１０１ｃとを相対回動自在に連結してある。
右側のリンク機構９０の前記上下一対の昇降リンク９１のうちの下側の昇降リンク９１と、容器支持枠９２の右側のサイド枠９２ａとを相対回動自在に連結している連結軸１０２により、容器支持枠９２の右側のサイド枠９２ａと、右側の取り付けアーム１００と、取り付け枠１０１の右側のメイン取り付け枠１０１ｃとを相対回動自在に連結してある。
【００５２】
前記左右のリンク機構９０に、前記上下一対の昇降リンク９１のうちの上側の昇降リンク９１と、転倒保護枠５とに連結された昇降シリンダ１０５を設けてある。
容器支持枠９２の前記連結枠９２ｂの中間部に、連結枠９２を構成する帯び板金材を車体前方側に折り曲げ成形して作製したシリンダブラケット９２ｃを設け、
取り付け枠１０１の前記梁枠１０１ｂの中間部と底側容器３３の端部とに連結された板金部材で成るシリンダブラケット１０１ａを取り付け枠１０１に設け、前記シリンダブラケット１０１ａと９２ｃとにチルトシリンダ１０６を連結してある。
蓋側容器３５を前記開閉軸芯Ｐまわりで底側容器３３に対して開閉操作するように底側容器３３と蓋側容器３５とに連結された開閉シリンダ１０７を、集草容器３０に設けてある。
【００５３】
つまり、草刈りや芝刈り作業を行う場合、図１０に示すように、左右の昇降シリンダ１０５を短縮側に操作する。すると、左右のリンク機構９０が昇降シリンダ１０５によって転倒保護枠５に対して下降操作される。このとき、昇降シリンダ１０５の短縮操作に連係して開閉シリンダ１０７が自動的に短縮側に操作され、集草容器３０の蓋側容器３５が開閉シリンダ１０７によって底側容器３３に対して閉じ操作される。さらに、昇降シリンダ１０５の短縮操作に連係してチルトシリンダ１０６も自動的に短縮側に操作されて、集草容器３０の底側容器３３と蓋側容器３５の全体がチルトシリンダ１０６によって集草容器下端側に位置する前記連結軸１０２の集草容器横向きの軸芯１０２ａまわりで昇降リンク９１に対して下降操作される。図１４に示すように、前記取り付け枠１０１の梁枠１０１ｂに位置する支持部１０１ｄに設けてあるクッションゴム１０８が、車体フレーム６の後端部と前記転倒保護枠５に連結された支持枠１０９が有するストッパー１１０に当接した下降限界まで各リンク機構９０が下降操作されると、集草容器３０は、これの底側容器３３の前記凹部３２に原動部３のエンジンボンネット３ｂなどが入り込んだ配置高さになり、このとき、集草容器３０の底側容器３３と蓋側容器３５の全体が昇降リンク９１に対して下降限界まで下降されているとともに、集草容器３０の蓋側容器３５が底側容器３３に対して閉じ限界まで閉じ操作されていて、集草容器３０は、図１０，１２，１４などに示す回収状態になる。
【００５４】
すなわち、集草容器３０の底側容器３３と蓋側容器３５の開口縁が互いに接触し合って底側容器３３と蓋側容器３５の開口３３ｅ，３５ｅが互いに閉じられ、集草容器３０のセンター容器部３０ｂが原動部３の上方に位置し、集草容器３０の左右一対のサイド容器部３０ａが原動部３の両横側方の後車輪２の上方に分かれて位置した回収状態になる。すると、集草容器３０の前記刈り草投入口３１と、前記ブロワ８１の吐出側から延出している前記ダクト８２とが合致して接続し合った状態になり、モーア２０からの刈り草や刈り芝が集草容器３０に回収される。
【００５５】
集草容器３０に回収された刈り草や刈り芝を排出する場合、図１５に示すように、左右の昇降シリンダ１０５を伸張側に操作する。すると、左右のリンク機構９０が昇降シリンダ１０５によって転倒保護枠５に対して上昇操作され、集草容器３０が回収状態の配置高さから持ち上げ操作される。左右のリンク機構９０の昇降リンク９１が上昇限界まで上昇して転倒保護枠５から車体後方向きに水平又はほぼ水平に延出した状態になると、これに連係して自動的にチルトシリンダ１０６が伸張側に操作されて、集草容器３０がこれの下端側に位置する集草容器横向きの軸芯１０２ａまわりで昇降リンク９１に対して車体後方側にチルトシリンダ１０６によって回動操作される。集草容器３０が車体後方側に回動限界まで回動すると、これに連係して自動的に開閉シリンダ１０７が伸張側に操作されて、集草容器３０の蓋側容器３５が開閉シリンダ１０７によって底側容器３３に対して開放操作される。これにより、集草容器３０は、回収状態から軸芯１０２ａまわりで車体後方側に回動するとともに底側容器３３と蓋側容器３５が車体下方向きに開口した草排出状態になり、さらに、集草容器３０は、回収状態での配置高さよりも高い配置高さまで持ち上げられた状態になり、集草容器３０に貯留されていた刈り草や刈り芝が底側容器３３と蓋側容器３５の間から落下排出される。このとき、底側容器３３や蓋側容器３５の横側壁３３ｄ，３５ａや後側壁３３ｃ，３５ｂが落下ガイドになり、刈り草や刈り芝が横側壁３３ｄ，３５ａや後側壁３３ｃ，３５ｂに沿いながら落下して広範囲に飛散しにくい状態で排出される。
【図面の簡単な説明】
【００５６】
【図１】乗用型草刈機全体の左側面図
【図２】乗用型草刈機全体の右側面図
【図３】乗用型草刈機全体の平面図
【図４】乗用型草刈機の後面図
【図５】集草容器の分解状態での斜視図
【図６】集草容器の刈り草排出状態での側面図
【図７】集草容器の開き状態での側面図
【図８】（イ）は、リンクロック機構のロック状態での側面図、（ロ）は、リンクロック機構のロック解除状態での側面図
【図９】別の実施構造を備えた乗用型草刈機全体の左側面図
【図１０】別の実施構造を備えた乗用型草刈機全体の右側面図
【図１１】別の実施構造を備えた乗用型草刈機全体の平面図
【図１２】集草容器の回収状態での縦断側面図
【図１３】底側容器及び蓋側容器の斜視図
【図１４】集草容器の回収状態での後面図
【図１５】集草容器の草排出状態での側面図
【符号の説明】
【００５７】
２        後車輪
３        原動部
３ａ      エンジン
４        運転座席
２０      モーア
３０      集草容器
３０ａ    サイド容器部
３０ｂ    センター容器部
３２      凹部
３３      底側容器
３３ｃ，３３ｄ  底側容器の側壁
３５      蓋側容器
３５ａ，３５ｂ    蓋側容器の側壁
４３ａ，１０２ａ    軸芯
【図１】
2006094851.tif 000003
【図２】
2006094851.tif 000004
【図３】
2006094851.tif 000005
【図４】
2006094851.tif 000006
【図５】
2006094851.tif 000007
【図６】
2006094851.tif 000008
【図７】
2006094851.tif 000009
【図８】
2006094851.tif 000010
【図９】
2006094851.tif 000011
【図１０】
2006094851.tif 000012
【図１１】
2006094851.tif 000013
【図１２】
2006094851.tif 000014
【図１３】
2006094851.tif 000015
【図１４】
2006094851.tif 000016
【図１５】
2006094851.tif 000017